(57)【要約】【課題】  本管と取付管との接続部で用い、本管の内圧が高くなった場合でも、取付管の離脱などによる漏水を防止できる支管継手を提供すること。【解決手段】  本管Ｐの取付穴Ｈに取付管Ｂを接続するための支管継手は、通水管１１とラバージョイント２１と拡径リング３１と固定具４１を中心に構成し、通水管１１は、接続具１２を介して取付管Ｂに接続する。またラバージョイント２１は、首部２３と裾部２５を円錐状の胴部２４で結んだ形状で、首部２３を通水管１１に密着させるほか、裾部２５を取付穴Ｈに嵌め込み、裾部２５の内周面に拡径リング３１と固定具４１を組み込み、裾部２５を取付穴Ｈに密着させる。そして固定具４１には、取付穴Ｈよりも外側に突出し、本管Ｐの内周面と対向する抜け止め部４５を設けることで、支管継手が取付穴Ｈから離脱することを防ぐ。さらに通水管１１にストッパ１３を設け、取付管Ｂの離脱も防ぐことができる。【選択図】      図１
2020158999.tif 000002
【特許請求の範囲】
【請求項１】
本管（Ｐ）と取付管（Ｂ）との接続部で用いる支管継手であって、該本管（Ｐ）には、該取付管（Ｂ）との接続のために取付穴（Ｈ）を設けてあり、
接続具（１２）を介して前記取付管（Ｂ）に接続される通水管（１１）と、該通水管（１１）を取り囲む筒状のラバージョイント（２１）と、該ラバージョイント（２１）の内部に組み込む拡径リング（３１）と、該拡径リング（３１）の内部に組み込む固定具（４１）と、からなり、
前記ラバージョイント（２１）は、小径の首部（２３）と大径の裾部（２５）との間を円錐状の胴部（２４）で結んだ形状であり、該裾部（２５）は前記取付穴（Ｈ）の内部に嵌め込み、
前記拡径リング（３１）および前記固定具（４１）は、前記裾部（２５）の内周面側に配置し、該固定具（４１）から該拡径リング（３１）に向けて差し込む押しボルト（４７）によって該拡径リング（３１）を変形させることで、前記ラバージョイント（２１）を前記取付穴（Ｈ）の内周面に密着させ、
また前記首部（２３）に前記通水管（１１）を差し込み、該首部（２３）を該通水管（１１）に密着させ、
前記ラバージョイント（２１）が前記取付穴（Ｈ）および前記通水管（１１）の双方と密着することで漏水を防ぎ、
前記固定具（４１）には、前記取付穴（Ｈ）よりも外側に突出し且つ前記本管（Ｐ）の内周面と対向する抜け止め部（４５）を設けてあることを特徴とする支管継手。
【請求項２】
前記首部（２３）と前記通水管（１１）との変位を規制するため、該通水管（１１）の外周面には、外側に突出するストッパ（１３）を設けてあることを特徴とする請求項１記載の支管継手。
【請求項３】
前記ラバージョイント（２１）の前記胴部（２４）の外周面には、内圧の上昇による膨張を防ぐため、円錐状の押圧カラー（２９）を嵌め込んであることを特徴とする請求項１または２記載の支管継手。
【発明の詳細な説明】
【技術分野】
【０００１】
本発明は、用水路や下水道などにおいて、大断面の本管と小断面の取付管との接続部で用いる支管継手に関する。
【背景技術】
【０００２】
用水路は、農地や工場などに水を供給する役割を担っており、また下水道は、汚水を集めて無害化する役割を担っており、そのうち下水道は、衛生上の観点から開渠が用いられることは皆無であり、地中に大断面の本管を埋め込み、そこに家庭などから伸びる取付管が接続されている。対して用水路は、開渠が多いものの、安全性などの観点から暗渠や管を用いることもあり、この管については、下水道と同様、大断面の本管を埋め込み、そこに小断面の取付管が接続される方式を用いることもある。このように、用水路や下水道などが本管と取付管で構成される場合、その接続部では漏水防止のため、何らかの支管継手を組み込むことが多い。
【０００３】
支管継手については、信頼性や施工性などを向上するための技術開発が進められており、その例として後記の特許文献１が挙げられる。この文献では、車両の通行による衝撃荷重や土圧や地震などによって取付管が軸線方向に押し出され、本管の内部に突き出てしまうことを防ぐ接続構造が開示されている。なお、この文献で記載されているように、実際に取付管が本管の内部に突き出てしまうと、本管の流れが妨げられ、流量の低下や異物の滞留などの問題を招くほか、取付管が途中で分断される恐れがある。
【０００４】
特許文献１では、この突き出しを防ぐため、取付管の外周面にカゴ状の脚体を組み込んだことを特徴としており、脚体の一端側は、取付管と同心で並ぶ受け口に接触しており、また脚体の他端側は、本管の外周面に接触している。その結果、取付管に作用する荷重は、脚体を介して本管で受け止められ、取付管の変位が規制されるため、突き出しを防止できる。
【先行技術文献】
【特許文献】
【０００５】
【特許文献１】特開２００３−３５５７号公報
【発明の概要】
【発明が解決しようとする課題】
【０００６】
本管と取付管で構成される用水路や下水道では、本管に勾配を持たせ、水を自然に流下させることが多く、本管の内圧が高くなることはない。ただし地形によっては、途中でポンプを用いるため、内圧が高くなる場合があるほか、流量のばらつきによって局地的に内圧が高くなることもある。このように本管の内圧が高くなると、取付管との接続部に組み込まれた支管継手が外側に押し出され、支管継手が本管から離脱する恐れがあるほか、支管継手が離脱しない場合でも、取付管が支管継手から離脱する恐れがあり、これらの離脱箇所から水が地中に漏れ出し、流量の低下や周辺の汚染など、様々な問題を引き起こす可能性がある。
【０００７】
先の特許文献１では、脚体を用いることで、取付管が本管の内部に突き出すことを防止できる。しかしその構造上、本管の内圧が高くなることには対応できない。そのため、内圧の上昇が予想される箇所では、特許文献１とは異なる手段を用い、支管継手や取付管の離脱を防ぐ必要がある。
【０００８】
本発明はこうした実情を基に開発されたもので、本管と取付管との接続部で用い、本管の内圧が高くなった場合でも、取付管の離脱などによる漏水を防止できる支管継手の提供を目的としている。
【課題を解決するための手段】
【０００９】
前記の課題を解決するための請求項１記載の発明は、本管と取付管との接続部で用いる支管継手であって、該本管には、該取付管との接続のために取付穴を設けてあり、接続具を介して前記取付管に接続される通水管と、該通水管を取り囲む筒状のラバージョイントと、該ラバージョイントの内部に組み込む拡径リングと、該拡径リングの内部に組み込む固定具と、からなり、前記ラバージョイントは、小径の首部と大径の裾部との間を円錐状の胴部で結んだ形状であり、該裾部は前記取付穴の内部に嵌め込み、前記拡径リングおよび前記固定具は、前記裾部の内周面側に配置し、該固定具から該拡径リングに向けて差し込む押しボルトによって該拡径リングを変形させることで、前記ラバージョイントを前記取付穴の内周面に密着させ、また前記首部に前記通水管を差し込み、該首部を該通水管に密着させ、前記ラバージョイントが前記取付穴および前記通水管の双方と密着することで漏水を防ぎ、前記固定具には、前記取付穴よりも外側に突出し且つ前記本管の内周面と対向する抜け止め部を設けてあることを特徴とする支管継手である。
【００１０】
本発明は、内圧の上昇に対抗して漏水を防ぐ機能を有することを特徴としており、通水管とラバージョイントと拡径リングと固定具の四要素を中心に構成される。そのうち通水管は、取付管の延長として機能するもので、取付管とほぼ同径で直線状に伸びており、その一端側は取付管の端部に隣接しており、他端側は本管の取付穴の近傍に到達している。なお取付管と通水管との接続には、ユニオンなど、汎用の接続具を用いるが、この接続具により、取付管と通水管は実質的に一体化する。
【００１１】
ラバージョイントは、ゴムまたは軟質樹脂など、柔軟性を有する素材を円錐状に成形したもので、通水管の外周面および取付穴の内周面に接触して漏水を防ぐ。そのためラバージョイントの両端部のうち、小径側の端部には、通水管の外周面に接触する筒状の首部を設けてあり、その反対の大径側の端部には、取付穴の内周面に接触する筒状の裾部を設けてある。そして首部と裾部は、円錐状の胴部で接続されている。なお通水管は、首部を抜けて胴部や裾部の中に入り込む。
【００１２】
拡径リングは、ラバージョイントの裾部の内周面に組み込む帯状のリングだが、途切れることのない環状ではなく、一箇所が途切れた「Ｃ」状であり、容易に変形可能である。したがって、拡径リングを外周側に押し広げると、これがラバージョイントの裾部を内側から押圧し、その結果、ラバージョイントが取付穴と密着するため、取付穴からの漏水を防ぐことができる。なお拡径リングの高さ（通水管の軸線方向の長さを指す）は、裾部の高さと同等にすることが多い。
【００１３】
固定具は、拡径リングの内周側に組み込み、拡径リングを押し広げるためのベースとなる部品で、拡径リングと同様、帯状のリングを中心に構成されるが、こちらは原則として途切れることのない環状になる。また押しボルトは、固定具の内周側から外周側に向けて差し込むボルトであり、固定具と螺合させる。したがって、差し込まれた押しボルトを回転させると、やがてその先端が拡径リングに接触し、さらに回転を続けると、拡径リングを外周側に押し広げる。
【００１４】
固定具には、押しボルトを螺合させるためのメネジを形成する。このメネジは、固定具の内周面と外周面を貫く穴に加工する場合もあるが、この穴の内周面側にナットを溶接することで、メネジの形成を省略することもできる。なお押しボルトは、機能を正常に発揮させるため、一個の固定具について、所定の角度を隔てて複数本配置する。
【００１５】
ラバージョイントの首部には、前記のように通水管を差し込むが、通水管と首部を密着させるため、何らかの手段で首部の外周面を締め付ける。この手段については、番線などでも問題はないが、通常は汎用の締付バンドを用いる。このようにラバージョイントは、通水管の外周面および取付穴の内周面の双方と密着することから、本管と取付管との接続部からの漏水を完全に防ぐことができる。
【００１６】
抜け止め部は、固定具の一端側から突出する部位で、本管の中心に向かって伸び、さらに取付穴よりも外側に突出し、本管の内周面と対向する。したがって、固定具を取付穴から引き離そうとした場合でも、抜け止め部が本管に接触し、引き離すことができない。なお固定具は、拡径リングを挟んでラバージョイントの裾部に密着しているほか、ラバージョイントの首部は通水管と密着している。そのため固定具により、通水管および取付管の変位を防止できる。
【００１７】
抜け止め部については、本管の内周面と対向し、支管継手の変位を規制できるならば、その形状は自在である。この具体例としては、固定具の一端側（本管の中心に近い側）から脚のように突出する部位を複数設ける形態のほか、固定具の一端側に円錐状の部位を設ける形態などが挙げられる。そのほか抜け止め部は、本管の内周面に接触させることが望ましいが、施工時の作業性などを考慮し、若干の隙間があっても構わない。なお実際の施工時は、抜け止め部との兼ね合いから、まず固定具を本管の内部に持ち込み、その後、固定具を取付穴の内部に配置する。
【００１８】
このように、本管と取付管を接続する支管継手をラバージョイントや固定具などで構成し、固定具には、本管の内周面と対向する抜け止め部を設けることで、本管の内圧が上昇し、取付管を押し出すような荷重が発生した場合でも、抜け止め部が本管の内周面に接触し、この荷重を受け止める。そのため、支管継手が本管から離脱することを防止でき、水の漏れ出しも防止できる。なお本発明において、支管継手の詳細な構成は自在であり、前記の特許文献１のように、通水管が本管の内部に突き出すことを防ぐ手段を組み込むこともできる。
【００１９】
請求項２記載の発明は、通水管の離脱を防ぐためのもので、首部と通水管との変位を規制するため、通水管の外周面には、外側に突出するストッパを設けてあることを特徴とする。通水管は単純な筒状だが、ストッパはその外周面から突出する部位で、通常の状態において、ラバージョイントの胴部の内部に配置される。なおストッパは、局地的な突起でもよいが、途切れることのないフランジ状とすることもできる。
【００２０】
先の請求項１に記載した抜け止め部により、ラバージョイントは、本管から離脱することができない。ただし通水管については、ラバージョイントの首部との摩擦だけで保持されており、過大な荷重が作用すると、この接触面で滑りを生じ、通水管だけが離脱することも予想される。そこで本発明のようにストッパを設けることで、滑りが生じた場合でも、やがてストッパが首部に接触し、それ以上の変位が不可能になり、通水管の離脱を防ぐことができる。なお首部には、締付バンドなどを組み込んであるため、外側に膨らむことができない。その結果、ストッパが首部を通過することもできない。
【００２１】
請求項３記載の発明は、ラバージョイントを保護するためのもので、ラバージョイントの胴部の外周面には、内圧の上昇による膨張を防ぐため、円錐状の押圧カラーを嵌め込んであることを特徴とする。ラバージョイントは柔軟性を有するため、内圧の上昇によって外側に膨張し、周囲の地盤などに押し付けられて破損することもあり得る。このような事態を避けるため、ラバージョイントの胴部に覆い被さる押圧カラーを用いることもある。
【００２２】
押圧カラーは、ラバージョイントの胴部に応じた円錐状であり、通常の状態において、胴部の外周面と面接触できるような寸法に仕上げる。また仮に、押圧カラーが軸線方向に変位すると、ラバージョイントから離れてしまう。そのため押圧カラーは、周辺の部品に接触させ、変位を規制することがある。なお押圧カラーは、胴部全体を覆い隠すこともあれば、大きな膨張が見込まれる中間部分に限定することもある。
【発明の効果】
【００２３】
請求項１記載の発明のように、本管と取付管を接続する支管継手について、通水管とラバージョイントと拡径リングと固定具の四要素を中心に構成し、固定具には、本管の内周面と対向する抜け止め部を設けることで、支管継手を本管から引き離すような変位を規制できる。そのため本管の内圧が上昇し、支管継手を外側に押し出すような荷重が発生した場合でも、支管継手が本管から離脱することはなく、漏水を防止できる。
【００２４】
請求項２記載の発明のように、通水管の外周面には、外側に突出するストッパを設けることで、内圧が上昇した場合でも、ストッパがラバージョイントの首部に接触し、通水管がラバージョイントから離脱することを防止でき、漏水も防止できる。なお通水管は、接続具を介して取付管と一体化している。そのためこの発明では、取付管が支管継手から離脱することを防止できる。
【００２５】
請求項３記載の発明のように、ラバージョイントの胴部の外周面には、円錐状の押圧カラーを嵌め込むことで、内圧が上昇した場合でもラバージョイントの膨張を抑え込むことができる。その結果、ラバージョイントが地盤に押し付けられることがなく、破損を防止できるため、信頼性が向上する。
【図面の簡単な説明】
【００２６】
【図１】本発明による支管継手の構造例を示す斜視図だが、その構成要素は分離して描いてある。なおラバージョイントと押圧カラーは、構造を示すため、半割にしてある。
【図２】図１のラバージョイントと拡径リングと固定具との関係を示す斜視図で、図の上方には、拡径リングと固定具の配置を描いてあり、図の下方には、拡径リングと固定具をラバージョイントの内部に組み込んだ状態を描いてある。なおラバージョイントは、半割にしてある。
【図３】図１のラバージョイントを本管に取り付ける過程を示す斜視図で、図の上方には、ラバージョイントを取付穴に密着させる様子を描いてあり、図の下方には、押圧カラーを嵌め込んだ様子などを描いてある。なおラバージョイントと押圧カラーは、半割にしてある。
【図４】図３の後、ラバージョイントに通水管などを組み込む過程を示す斜視図である。なおラバージョイントと押圧カラーは、半割にしてある。
【図５】図４の後の最終段階を示す斜視図で、ラバージョイントに通水管を差し込み、通水管の下端部を取付穴の近傍に到達させている。なおラバージョイントと押圧カラーは、半割にしてある。
【図６】図１の支管継手を本管に組み込んだ状態を示す斜視図である。
【発明を実施するための形態】
【００２７】
図１は、本発明による支管継手の構造例を示す。支管継手は、本管Ｐと取付管Ｂとの接続部で用いるが、この図では、その構成要素を分離した状態で描いてある。そして本管Ｐは、幹線での使用を想定した大径の管で、地中に埋め込まれており、また取付管Ｂは、本管Ｐと家庭などを結ぶ支線になる小径の管で、この取付管Ｂとの接続のため、本管Ｐには円形の取付穴Ｈを加工してある。なお図中の本管Ｐは、取付穴Ｈの周辺だけを描いてある。
【００２８】
この図の支管継手は、通水管１１とラバージョイント２１と拡径リング３１と固定具４１と外脚具５１を中心に構成される。そのうち通水管１１は、合成樹脂を素材とした円筒状で、取付管Ｂの延長として機能するため、取付管Ｂと同等の横断面としてあり、さらに通水管１１の一端側には、取付管Ｂとの接続のため、接続具１２を組み込んである。ここでの接続具１２は、球面ジョイントなどと呼ばれる汎用品であり、内外二個の球状の部品が面接触した構造で、そのうち外側の方は通水管１１と一体化しており、また内側の方は、取付管Ｂを隙間なく差し込み可能で、しかも所定の範囲で自在に揺動可能で、取付管Ｂと通水管１１が交角を有する場合でも、無理なく接続可能である。なお接続具１２には、パッキンなどを組み込んであり、ここから漏水することはなく、しかも接続具１２は、取付管Ｂと通水管１１を強固に一体化するものとする。当然ながら接続具１２は、図のようなものに限定される訳ではなく、施工箇所の状況などに応じて自在に選択可能である。
【００２９】
外脚具５１は、通水管１１を取り囲むカゴ状の部品で、通水管１１が本管Ｐの中心に向けて突き出すことを防ぐ役割を有し、筒部５３と当接リング５５をアーム５４で結んだ構造である。この筒部５３は単純な環状で、通水管１１を緩みなく差し込み可能な内径としてあり、また当接リング５５は、筒部５３よりも大径で、取付穴Ｈを取り囲みながら本管Ｐの外周面に接触するもので、さらに計四個のアーム５４によって筒部５３と当接リング５５が一体化している。そして筒部５３に通水管１１を差し込むと、やがて接続具１２が筒部５３に接触し、外脚具５１が固定される。
【００３０】
ラバージョイント２１は、文字通り、ゴムなどを成形した柔軟性を有する部品で、通水管１１の外周面および取付穴Ｈの内周面の双方と密着し、漏水を防ぐ。そのためラバージョイント２１は円錐状になり、小径側の端部には、通水管１１の外周面に接触する首部２３を設けてあり、対する大径側の端部には、取付穴Ｈの内周面に接触する裾部２５を設けてあり、首部２３と裾部２５との間を円錐状の胴部２４が結んでいる。さらに裾部２５の外周面には、環状に突出する二列のリップ２７を設けてあり、リップ２７の外周面が取付穴Ｈに接触する。なお、裾部２５と取付穴Ｈとの具体的な接触方法は自在で、このようなリップ２７を設けないこともある。そのほか裾部２５の端部には、中心方向に突出するツバ２６を設けてある。
【００３１】
押圧カラー２９は、ラバージョイント２１の変形を規制するためのもので、ラバージョイント２１の胴部２４の外周面に接触する円錐状で、その目的から金属製である。そのほか、ラバージョイント２１の首部２３に通水管１１を差し込んだ後、首部２３を通水管１１に密着させるため、締付バンド１９を用いている。締付バンド１９を実際に締め付けることで、ラバージョイント２１が通水管１１と密着し、ここからの漏水を防ぐ。
【００３２】
拡径リング３１は、帯状の金属板を環状に変形させたものだが、途切れることのない環状ではなく、一箇所が途切れた「Ｃ」状としてあり、内外方向に容易に変形可能である。そして拡径リング３１は、ラバージョイント２１の裾部２５の内周側に組み込まれ、ツバ２６の上面に載る。そのため拡径リング３１と裾部２５は、高さ（通水管１１の軸線方向の長さを指す）を同等に揃えてある。なお拡径リング３１の外径は、裾部２５の内径よりもわずかに小さく、双方を正しく配置した際は、その境界に隙間が生じる。そのほか、拡径リング３１の内周面には、棒状のピン３８が突出している。ピン３８は、中心を挟んで対向するように二箇所に設けてある。
【００３３】
固定具４１は、拡径リング３１の内周側に組み込む部品で、環状の内リング４３を中心に構成され、拡径リング３１を変形させる役割を担う。内リング４３は、途切れることのない環状で、しかも拡径リング３１の内周側に入り込むことのできる大きさである。そして内リング４３の内周面には、９０度間隔で計四箇所にナット４４を取り付けてあり、このナット４４に対応し、内リング４３にも穴を加工してある。したがって、内リング４３の内部に押しボルト４７を配置し、これをナット４４に螺合させると、その先部が内リング４３を突き抜けて拡径リング３１に接触し、拡径リング３１を押し広げ、ラバージョイント２１の裾部２５を取付穴Ｈの内周面に密着させることができる。
【００３４】
固定具４１の内リング４３の下端側には、脚状の抜け止め部４５が突出している、抜け止め部４５は、９０度間隔で計四箇所に配置してあり、いずれも途中から外側に突出するＬ字状で、抜け止め部４５の先端を結ぶ円は、取付穴Ｈよりも大径である。したがって固定具４１を取付穴Ｈの内部に配置すると、抜け止め部４５が本管Ｐの内周面に接触し、固定具４１の変位を規制することができる。なお内リング４３には、拡径リング３１のピン３８を収容するため、長穴４８を形成してある。ピン３８が長穴４８に嵌まり込むことで、拡径リング３１と固定具４１が分離不能になるが、長穴４８により、ある程度の変位は許容される。
【００３５】
そのほか通水管１１の外周面には、塊状のストッパ１３を取り付ける。ストッパ１３は、通水管１１の変位を規制する役割を有し、ストッパ１３が首部２３に接触することで、それ以上の変位が規制される。なおストッパ１３は、外脚具５１の組み込みとの兼ね合いから、当初から通水管１１に取り付けることはできず、製造の途中段階において、接着剤などで取り付ける。また図１では、四個のストッパ１３を９０度間隔で取り付けることを想定しているが、この形状や配置などは自在である。
【００３６】
図２は、図１のラバージョイント２１と拡径リング３１と固定具４１との関係を示し、この図の上方には、拡径リング３１と固定具４１の配置を描いてある。拡径リング３１は、固定具４１の内リング４３を取り囲むように配置するが、その際、拡径リング３１のピン３８を内リング４３の長穴４８に嵌め込み、拡径リング３１と固定具４１との分離を防ぐ。また、内リング４３の内周面に取り付けられたナット４４には、押しボルト４７を螺合させる。そして押しボルト４７を回転させると、その先部が拡径リング３１に接触し、これを押し広げることができる。そのほか抜け止め部４５は、拡径リング３１と接触することなく外側に突出する。
【００３７】
図２の下方には、拡径リング３１と固定具４１をラバージョイント２１の内部に組み込んだ状態を描いてある。拡径リング３１は、ラバージョイント２１の裾部２５の内周面に接するように配置され、しかも裾部２５の端部を取り囲んでいるツバ２６に載っている。そのため拡径リング３１と固定具４１は、ラバージョイント２１の内部で安定して保持され、不用意に離脱することはない。また抜け止め部４５は、ラバージョイント２１とも接触することなく外側に突出する。そのほかラバージョイント２１の胴部２４には、円錐状の押圧カラー２９を嵌め込む。
【００３８】
図３は、図１のラバージョイント２１を本管Ｐに取り付ける過程を示している。先の図２のように、ラバージョイント２１の内部に拡径リング３１と固定具４１を組み込んだ後、これら一式を本管Ｐの内部に持ち込み、次に、ラバージョイント２１の首部２３を先頭にしながら、これらを取付穴Ｈに差し込む。そして、ラバージョイント２１の裾部２５のほぼ全体が取付穴Ｈの内部に入り込んだ後、図３の上方に描くように、六角棒レンチやラチェットレンチなどの工具で押しボルト４７を回転させ、その先部を拡径リング３１に接触させ、これを外周側に押し広げる。その結果、拡径リング３１と固定具４１に隙間が生じるほか、拡径リング３１が裾部２５を押圧し、そのリップ２７が取付穴Ｈの内周面に密着し、ラバージョイント２１の外部への漏水を防ぐ。
【００３９】
ラバージョイント２１を取付穴Ｈに密着させた後、図３の下方に描くように、ラバージョイント２１の胴部２４に押圧カラー２９を嵌め込み、さらに首部２３を取り囲むように締付バンド１９を配置する。なおこの状態において、固定具４１の抜け止め部４５は、取付穴Ｈよりも外側に突出し、本管Ｐの内周面と対向している。そのため、ラバージョイント２１を本管Ｐから引き離そうとした場合でも、これを抜け止め部４５が受け止め、引き離すことができない。
【００４０】
図４は、図３の後、ラバージョイント２１に通水管１１などを組み込む過程を示している。先の図３のように、本管Ｐにラバージョイント２１を取り付けた後、ラバージョイント２１の中心に通水管１１を差し込み、さらにラバージョイント２１の首部２３を取り囲む締付バンド１９を締め付けると、ラバージョイント２１が通水管１１に密着する。なお通水管１１には、あらかじめ外脚具５１を組み込む必要がある。その際は、外脚具５１の筒部５３を接続具１２に接触させ、その後、通水管１１にストッパ１３を取り付ける。そのため外脚具５１は、通水管１１から離脱不能になる。そして、ラバージョイント２１に通水管１１を差し込む際は、首部２３を一時的に拡張させて隙間を形成し、そこにストッパ１３を通過させる。
【００４１】
図５は、図４の後の最終段階を示している。図４の後、ラバージョイント２１に通水管１１を差し込み、通水管１１の下端部を取付穴Ｈの近傍に到達させると、外脚具５１の当接リング５５が本管Ｐの外周面に接触し、通水管１１などの位置が固定される。なお通水管１１を差し込む際、ストッパ１３は首部２３を通り抜け、その下側に到達する。この状態で締付バンド１９を締め付けると、首部２３が通水管１１に密着し、ここでの漏水を防ぐ。また、締付バンド１９によって首部２３は変形不能になり、以降、ストッパ１３は、首部２３を通り抜けることができず、通水管１１がラバージョイント２１から離脱することを防ぐ。
【００４２】
図５に描くように、抜け止め部４５は、本管Ｐの内周面に対向しているため、内圧が上昇した場合でも、ラバージョイント２１が本管Ｐから離脱することはない。また通水管１１とラバージョイント２１は、締付バンド１９による摩擦だけで一体化されており、条件によっては双方の接触面で滑りを生じることもある。しかし、ストッパ１３が首部２３に接触することで、それ以上の滑りが規制され、通水管１１がラバージョイント２１から離脱することを防ぐ。なお通水管１１は、接続具１２を介して取付管Ｂと一体化しており、ストッパ１３により、取付管Ｂが支管継手から離脱することを防いでいる。そのほか外脚具５１は、接続具１２と本管Ｐとの間に挟み込まれている。そのため、通水管１１を本管Ｐに押し込むような荷重が発生した場合でも、通水管１１の変位を防止できる。
【００４３】
図６は、図１の支管継手を本管Ｐに組み込んだ状態を示す。支管継手は、拡径リング３１や固定具４１によって本管Ｐと一体化しており、しかも抜け止め部４５は、本管Ｐの内周面と対向している。そのため内圧が上昇した場合でも、支管継手が本管Ｐから離脱することを防ぎ、漏水を招くこともない。また取付管Ｂの上流側は、家庭などに設置された升に接続されており、升に流れ込んだ水は、取付管Ｂから支管継手を経て本管Ｐに到達する。
【００４４】
締付バンド１９は、押圧カラー２９と接するように配置してあり、押圧カラー２９の上昇を防いでいる。そのため内圧が上昇した場合でも、押圧カラー２９がラバージョイント２１で押し上げられることはなく、その膨張を抑え込む。なお、これまでの各図に描いた支管継手は、あくまでも本発明の一形態を示すもので、抜け止め部４５を始め、各部の詳細な形状は自在に決めることができる。また本管Ｐは、円形断面以外に角形断面となることもある。さらに当接リング５５など、本管Ｐに隣接して配置される部品は、本管Ｐの断面形状に沿うよう、必要に応じて湾曲させ、不要な隙間などを削減することが望ましい。
【符号の説明】
【００４５】
１１  通水管
１２  接続具（球面ジョイント）
１３  ストッパ
１９  締付バンド
２１  ラバージョイント
２３  首部
２４  胴部
２５  裾部
２６  ツバ
２７  リップ
２９  押圧カラー
３１  拡径リング
３８  ピン
４１  固定具
４３  内リング
４４  ナット
４５  抜け止め部
４７  押しボルト
４８  長穴
５１  外脚具
５３  筒部
５４  アーム
５５  当接リング
Ｂ    取付管
Ｈ    取付穴
Ｐ    本管
【図１】
2020158999.tif 000003
【図２】
2020158999.tif 000004
【図３】
2020158999.tif 000005
【図４】
2020158999.tif 000006
【図５】
2020158999.tif 000007
【図６】
2020158999.tif 000008